(57)【要約】【課題】水勾配を有する既存の暗渠管に対しても確実に籾殻などの疎水材を投入することができる疎水材投入方法及び装置を提供する。【解決手段】溝形成部１６及び疎水材投入部１８を備えた疎水材投入手段２１を用いて既存の暗渠管１２の上部に沿って疎水材１３を投入する方法であって、地上から地中の前記暗渠管に向かって鉛直方向に暗渠管探索部材２０を挿入し、該暗渠管探索部材の下端が前記暗渠管に当接したときに、暗渠管探索部材の挿入量に基づいて、前記疎水材投入手段の上下位置を調節する。【選択図】図１
2020033820.tif 000002
【特許請求の範囲】
【請求項１】
溝形成部及び疎水材投入部を備えた疎水材投入手段を用いて既存の暗渠管の上部に沿って疎水材を投入する方法であって、地上から地中の前記暗渠管に向かって鉛直方向に暗渠管探索部材を挿入し、該暗渠管探索部材の下端が前記暗渠管に当接したときに、暗渠管探索部材の挿入量に基づいて、前記疎水材投入手段の上下位置を調節することを特徴とする疎水材投入方法。
【請求項２】
前記疎水材投入手段は、地上を走行可能な作業機に設けられている昇降装置に装着される連結部材と、該連結部材の下部に設けられて地中に挿入される前記溝形成部と、該溝形成部の後部に連設されて該溝形成部で形成した溝内に疎水材を投入する前記疎水材投入部と、該疎水材投入部と前記溝形成部との間に設けられた鉛直方向の暗渠管探索部材挿通部と、該暗渠管探索部材挿通部に上下方向に移動可能に挿入される前記暗渠管探索部材とを備えていることを特徴とする請求項１記載の疎水材投入方法。
【請求項３】
前記暗渠管探索部材の挿入は、あらかじめ設定された間隔毎に行うことを特徴とする請求項１又は２記載の疎水材投入方法。
【請求項４】
既存の暗渠管の上部に沿って疎水材を投入するための疎水材投入装置であって、走行可能な作業機に設けられている昇降装置に装着される連結部材と、該連結部材の下部に設けられて地中に挿入される溝形成部と、該溝形成部の後部に連設されて該溝形成部で形成した溝内に疎水材を投入する疎水材投入部と、該疎水材投入部と前記溝形成部との間に設けられた鉛直方向の暗渠管探索部材挿通部と、該暗渠管探索部材挿通部に上下方向に移動可能に挿入される暗渠管探索部材とを備え、該暗渠管探索部材は、下端が前記暗渠管に当接したときに、前記暗渠管探索部材挿通部への挿入量を示す指標部を有していることを特徴とする疎水材投入装置。
【発明の詳細な説明】
【技術分野】
【０００１】
本発明は、疎水材投入方法及び装置に関し、詳しくは、圃場などの地中に埋設されている既存の暗渠管の上部に沿って溝を形成するとともに、形成した溝内に疎水材を投入、充填するための疎水材投入方法及び装置に関する。
【背景技術】
【０００２】
従来から圃場などの排水性を向上させるため、籾殻暗渠形成装置を使用して圃場の地中に溝を形成し、溝底面に暗渠管を敷設するとともに、該暗渠管の上部に籾殻を充填した籾殻暗渠が暗渠排水設備として設けることが行われている（例えば、特許文献１，２参照。）。
【先行技術文献】
【特許文献】
【０００３】
【特許文献１】特開昭５６−１５６３１０号公報
【特許文献２】特開２００６−２４００号公報
【発明の概要】
【発明が解決しようとする課題】
【０００４】
暗渠排水設備の暗渠管の上部に投入、充填する疎水材は、圃場の耕起を行った際に、地上に上がってきても、農作物の栽培に悪影響を及ぼさないことから、砂利などの疎水材に比べて籾殻が多用されている。しかし、長期の使用で籾殻が腐食して圧密状態となり、通水性が低下することがある。このため、別の籾殻暗渠を新たに形成したり、既存の籾殻暗渠内に籾殻を補充したりすることが行われている。籾殻暗渠を新たに形成する場合は、大型の走行機械を必要とするなど、工事全体が大掛かりとなり、費用が嵩むという問題がある。一方、既存の籾殻暗渠内に籾殻を補充する場合は、地中に埋設された既存の暗渠管の状態が不明の場合が多く、始点や終点の付近で暗渠管を探し出した後に、暗渠管が埋設されているであろう方向に向けて籾殻投入装置を移動させて籾殻を投入し、補充するようにしている。しかし、暗渠管の位置や方向、水勾配の状態が不明なことが多く、従来は、既存の暗渠管の近傍に新たな籾殻を投入できればよいとされていた。このため、暗渠管に対して新たに投入した籾殻の位置が離れてしまい、籾殻を投入しても所定の排水性能を発揮できないことがあった。
【０００５】
そこで本発明は、水勾配を有する既存の暗渠管に対しても確実に籾殻などの疎水材を投入することができ、暗渠管としての所定の排水性能を得ることができる疎水材投入方法及び装置を提供することを目的としている。
【課題を解決するための手段】
【０００６】
上記目的を達成するため、本発明の疎水材投入方法は、溝形成部及び疎水材投入部を備えた疎水材投入手段を用いて既存の暗渠管の上部に沿って疎水材を投入する方法であって、地上から地中の前記暗渠管に向かって鉛直方向に暗渠管探索部材を挿入し、該暗渠管探索部材の下端が前記暗渠管に当接したときに、暗渠管探索部材の挿入量に基づいて、前記疎水材投入手段の上下位置を調節することを特徴としている。
【０００７】
さらに、本発明の疎水材投入方法は、前記疎水材投入手段が、地上を走行可能な作業機に設けられている昇降装置に装着される連結部材と、該連結部材の後部に設けられて下部が地中に挿入される溝形成部と、該溝形成部の後部に連設されて該溝形成部で形成した溝内に疎水材を投入する疎水材投入部と、該疎水材投入部と前記溝形成部との間に設けられた鉛直方向の暗渠管探索部材挿通部と、該暗渠管探索部材挿通部に上下方向に移動可能に挿入される前記暗渠管探索部材とを備えていることを特徴としている。また、前記暗渠管探索部材の挿入を、あらかじめ設定された間隔毎に行うことを特徴としている。
【０００８】
本発明の疎水材投入装置は、既存の暗渠管の上部に沿って疎水材を投入するための疎水材投入装置であって、走行可能な作業機に設けられている昇降装置に装着される連結部材と、該連結部材の後部に設けられて下部が地中に挿入される溝形成部と、該溝形成部の後部に連設されて該溝形成部で形成した溝内に疎水材を投入する疎水材投入部と、該疎水材投入部と前記溝形成部との間に設けられた鉛直方向の暗渠管探索部材挿通部と、該暗渠管探索部材挿通部に上下方向に移動可能に挿入される暗渠管探索部材とを備え、該暗渠管探索部材は、下端が前記暗渠管に当接したときに、前記暗渠管探索部材挿通部への挿入量を示す指標部を有していることを特徴としている。
【発明の効果】
【０００９】
本発明によれば、暗渠管探索部材によって暗渠管の埋設深さを探索して疎水材投入手段の上下位置を調節して疎水材を投入するので、暗渠管の位置や埋設深さに応じた所定の状態で溝を形成して疎水材を投入することができ、周辺の地中水を疎水材から暗渠管に確実にガイドして所定の排水性能を発揮させることができる。
【図面の簡単な説明】
【００１０】
【図１】本発明の疎水材投入方法を実施可能な疎水材投入装置の一形態例を示す側面図である。
【図２】同じく疎水材投入装置の断面背面図である。
【図３】要部の拡大図である。
【図４】同じく暗渠管の上部に沿って疎水材を投入する説明図である。
【発明を実施するための形態】
【００１１】
図１乃至図４は、疎水材投入方法を実施可能な疎水材投入装置の一形態例を示している。本形態例に示す疎水材投入装置１１は、圃場の地中に埋設されている既存の暗渠管１２の上部に沿って新たな疎水材、例えば籾殻１３を投入するためのものであって、走行可能な作業機、例えばトレンチャーの本体部やトラクタなどの作業機１４の後部に設けられている昇降装置である昇降リンク１４ａに装着されて使用される。
【００１２】
本形態例に示す疎水材投入装置１１は、前記昇降リンク１４ａに装着される連結部材１５と、該連結部材１５の後部に設けられて下部が地中に挿入される溝形成部１６と、該溝形成部１６の後部に連設されて該溝形成部１６で形成した溝１７内に前記籾殻１３を投入するための疎水材投入部１８と、該疎水材投入部１８と前記溝形成部１６との間における幅方向中央部に設けられた鉛直方向の暗渠管探索部材挿通部１９と、該暗渠管探索部材挿通部１９に上下方向に移動可能に挿入される暗渠管探索部材２０とを備えている。
【００１３】
連結部材１５は、疎水材投入手段２１を構成する前記溝形成部１６と前記疎水材投入部１８とを前記昇降リンク１４ａに一体的に連結するためのものであって、シリンダ１４ｂの伸縮による前記昇降リンク１４ａの昇降操作によって疎水材投入手段２１を昇降できるようにしている。
【００１４】
溝形成部１６は、暗渠管１２の上部に沿って疎水材投入用の溝１７を形成するためのものであって、本形態例に示す溝形成部１６は、進行方向先端が先鋭化したウエッジ１６ａを地中に挿入し、溝形成部１６の進行に伴って溝１７を形成する部分の土砂を左右に切り開くことで溝１７を形成する構造を有している。また、一定深さの溝を形成するためのソリなどを設けずに上下方向に任意に昇降できるようにしている。
【００１５】
疎水材投入部１８は、形成された溝１７内に挿入される投入ガイド部２２と、該投入ガイド部２２の上部に連設したホッパー部２３とを有しており、投入ガイド部２２の下端には、進行方向後方側が上昇した形状の溝内投入口２２ａが開口している。前記投入ガイド部２２は、一般的に用いられているものよりも上下方向に長く形成されており、水勾配終端部の深い位置の暗渠管１２にも対応できるようにしている。また、ホッパー部２３は、両側壁が上方に向かって緩やかな曲面を描きながら拡開し、疎水材の投入を容易に行える大きさの疎水材投入口２３ａが上方に向かって開口している。
【００１６】
暗渠管探索部材挿通部１９は、前記溝形成部１６の後部壁となる疎水材投入部１８の前部壁１８ａの後面に沿って設けられた管材からなるものであり、上端はホッパー部２３の上端に、下端は投入ガイド部２２の下端にそれぞれ位置する状態で設けられている。この暗渠管探索部材挿通部１９に挿通される暗渠管探索部材２０は、暗渠管探索部材挿通部１９の内径より小さな外径を有する直線状の棒状部材であって、長さは、下端が既存の暗渠管１２の上部に当接したときに、適当な長さ分が暗渠管探索部材挿通部１９の上端から突出するように設定されている。
【００１７】
また、暗渠管探索部材２０の上端部には、操作用の把手部２０ａが設けられており、暗渠管探索部材２０の上下動操作を容易に行えるようにしている。さらに、暗渠管探索部材２０の上部には、暗渠管探索部材挿通部１９への暗渠管探索部材２０の挿入量を示す指標部２０ｂが設けられている。この指標部２０ｂは、暗渠管１２の埋設位置に対する疎水材投入手段２１の挿入深さを示すもので、暗渠管探索部材２０の下端が暗渠管１２に当接したときに、暗渠管探索部材２０の挿入量が通常より多いときには、暗渠管１２に対して疎水材投入手段２１が離れており、挿入量が通常より少ないときには、暗渠管１２に対して疎水材投入手段２１が近接していることを示している。
【００１８】
例えば、暗渠管１２の５０ｍｍ上方に溝１７の底面１７ａが位置する設定の場合、暗渠管探索部材挿通部１９の上端に指標部２０ｂが位置していれば、暗渠管１２の５０ｍｍ上方に溝１７の底面１７ａが形成される位置に疎水材投入手段２１が挿入されていることを示している。一方、暗渠管探索部材挿通部１９の上端よりも指標部２０ｂが暗渠管探索部材挿通部１９の内部に進入する場合は、暗渠管１２に対して疎水材投入手段２１が浅い位置にあることを示している。したがって、例えば、指標部２０ｂが暗渠管探索部材挿通部１９の内部に２０ｍｍ進入したときには、暗渠管１２の７０ｍｍ上方に溝１７の底面１７ａが形成される状態になっているので、疎水材投入手段２１を２０ｍｍ下げることにより、暗渠管１２の５０ｍｍ上方に底面１７ａが位置するように、設定通りに溝１７を形成することができる。また、指標部２０ｂが暗渠管探索部材挿通部１９の上端より２０ｍｍ突出していたときには、疎水材投入手段２１を２０ｍｍ上げることにより、暗渠管１２の５０ｍｍ上方に底面１７ａが位置するように溝１７を形成することができる。
【００１９】
このように、暗渠管探索部材２０の挿入量に基づいて疎水材投入手段２１を上下動させることにより、例えば、図３の右側に示すように、暗渠管１２が浅い位置にあるときには疎水材投入手段２１を上昇させ、図３の左側に示すように、暗渠管１２が深い位置にあるときには疎水材投入手段２１を下降させることにより、暗渠管１２の上方のあらかじめ設定された位置に底面１７ａが位置するように溝１７を形成することができる。暗渠管探索部材２０の挿入操作は、疎水材投入手段２１の進行中に連続的に行うことも可能であるが、通常は、あらかじめ設定された間隔、例えば疎水材投入手段２１が数ｍ進んだときに行うことにより、暗渠管１２の上方の所定位置に溝１７を確実に形成することができ、この溝１７内に疎水材を投入することにより、所望の排水効果を得ることができる。
【００２０】
また、暗渠管１２が古く、短尺の素焼き陶管を、拡径受口を利用して接続したものでは、受け口の部分で暗渠管探索部材２０の挿入量が少なくなるが、埋設されている暗渠管１２が拡径受口で接続された素焼き陶管であることをあらかじめ確認できていれば問題はない。さらに、疎水材投入手段２１の進行を、暗渠管１２が浅い位置から開始することにより、溝形成部１６が暗渠管１２に衝突することを回避できる。
【００２１】
さらに、暗渠管探索部材２０を深くまで挿入しても下端が暗渠管１２に当接しないときには、暗渠管１２が大きく屈曲していたり、他の暗渠管との接続によって暗渠管１２がなくなっていたりすることなどを知ることができる。
【００２２】
なお、溝の形成方法は、従来から用いられている各種方法を用いることが可能であり、前述のように土砂を切り開くものの他、土砂を地表まですくい上げるものなども使用できる。また、疎水材としては、一般的には籾殻が用いられるが、木材チップや砕石を使用することもでき、ホッパー部やその周辺の形状は、使用する疎水材に応じて形成することができる。さらに、ホッパー部に、疎水材の投入量（充填高さ）を調節できる手段を設けることもでき、周囲に作業用ステップなどを設けることもできる。また、指標部の形態も任意であり、暗渠管と疎水材投入手段との実寸を表記してもよく、暗渠管探索部材の挿入状態を視認できる目印程度でも十分である。
【００２３】
さらに、暗渠管探索部材挿通部の少なくとも下端部を幅方向に長い長方形状に形成するとともに、暗渠管探索部材の下部に幅方向に長い探索部を設けたり、幅方向に間隔を置いて複数の探索棒（探索針）を設けたりすることにより、暗渠管が直線に対して変位していたり、僅かに屈曲していたりしても、暗渠管の有無や位置を探索することができる。また、疎水材投入手段の上下動に合わせて疎水材の地上面、田面からの投入深さを調節するため、疎水材投入部の後部に疎水材投入深さ調節手段を設けておくことができる。
【符号の説明】
【００２４】
１１…疎水材投入装置、１２…暗渠管、１３…籾殻、１４…作業機、１４ａ…昇降リンク、１４ｂ…シリンダ、１５…連結部材、１６…溝形成部、１６ａ…ウエッジ、１７…溝、１８…疎水材投入部、１８ａ…前部壁、１９…暗渠管探索部材挿通部、２０…暗渠管探索部材、２０ａ…把手部、２０ｂ…指標部、２１…疎水材投入手段、２２…投入ガイド部、２２ａ…溝内投入口、２３…ホッパー部、２３ａ…疎水材投入口
【図１】
2020033820.tif 000003
【図２】
2020033820.tif 000004
【図３】
2020033820.tif 000005
【図４】
2020033820.tif 000006